(57)【要約】      （修正有）【課題】貼り付け方法に多様性を持たせたインデックスラベルを提供する。【解決手段】一方の面が粘着面２１とされた透過性を有する基材シート２Ａに、基材シート２Ａをノートに貼着する際、ノートの側辺と平行な仮想線上に基材シート２Ａをノートへと位置決めするための指示部３を複数設ける。【選択図】図１
2015150743.tif 000002
【特許請求の範囲】
【請求項１】
一方の面が粘着面とされ、折曲部を挟んで対称形状となる一対のタブ部を備える基材シートを、その粘着面同士が互いに向き合うように折り曲げて、上記互いに向き合った粘着面の間に被貼着片の側辺の一部を挟んで固着するインデックスラベルにおいて、
上記基材シートは透過性を有し、上記基材シートには、上記基材シートを上記被貼着片に貼着する際、上記被貼着面の側辺と平行な仮想線上に、上記基材シートを上記被貼着片へと位置決めするための指示部が複数設けられていることを特徴とするインデックスラベル。
【請求項２】
上記仮想線は、上記折曲線と平行に設けられていることを特徴とする請求項１に記載のインデックスラベル。
【請求項３】
上記仮想線は、上記折曲線と直交して設けられていることを特徴とする請求項１または２に記載のインデックスラベル。
【請求項４】
上記指示部は、上記仮想線に沿って直線状に形成されていることを特徴とする請求項１ないし３のいずれか１項に記載のインデックスラベル。
【請求項５】
上記指示部は、上記仮想線上に配置される少なくとも２点の点状マークからなることを特徴とする請求項１ないし３のいずれか１項に記載のインデックスラベル。
【請求項６】
上記基材シートは正方形であって、上記基材シートの対角線に沿って上記折曲部が設けられていることを特徴とする請求項１ないし５のいずれか１項に記載のインデックスラベル。
【請求項７】
上記各タブ部は三角形状に形成され、それらの頂部を挟んで対称となるように連結されており、上記頂部を上記折曲部として折り曲げられることを特徴とする請求項１ないし５のいずれか１項に記載のインデックスラベル。
【請求項８】
上記指示部および上記折曲部は、所定の色に着色されていることを特徴とする請求項１ないし７のいずれか１項に記載のインデックスラベル。
【請求項９】
上記基材シートの他方の面には透過性を有する保護シートが備えられ、上記保護シートには、上記基材シートを上記被貼着片に貼着する際、上記被貼着片の側辺と平行な仮想線上に、上記基材シートを上記被貼着片へと位置決めするための指示部が設けられていることを特徴とする請求項１ないし８のいずれか１項に記載のインデックスラベル。
【発明の詳細な説明】
【技術分野】
【０００１】
本発明は、ノートなどの冊子の側辺に貼り付けて使用されるインデックスラベルに関し、さらに詳しく言えば、貼り付け方に多様性を持たせたインデックスラベルに関する。
【背景技術】
【０００２】
ノートやスクラップブックなどの冊子用整理ツールとして、インデックスラベルがある。インデックスラベルは、例えば特許文献１に示すように、一方の面が粘着面とされた基材シートと、基材シートのインデックス面（反粘着面）に沿って貼り合わせられる透明な保護シートとを備えている。
【０００３】
このインデックスラベルを使用するに当たっては、まず、基材シートのインデックス面（反粘着面）に設けられた記入枠に必要な情報を書き込んだのち、保護シールをインデックス面に貼り付ける。
【０００４】
次に、基材シートを台紙から剥がし取り、基材シートのほぼ中央から粘着面同士が互いに向き合う様に折り曲げて、その粘着面の間にノートの側辺を挟むように貼り付けることにより、１冊のノートを効率的に整理することができる。
【０００５】
しかしながら、従来のインデックスラベルには、次のような問題があった。すなわち、従来のインデックスラベルでは、貼り付ける際の位置合わせ手段として、記入枠の枠線を用いているが、基材シートは、紙製で不透過性であるため、ノートに貼り付ける際、位置合わせしにくい。
【０００６】
また、従来のインデックスラベルは、記入枠の部分をノートの側辺から飛び出すように貼り付けることしかできないため、インデックスラベルをノートの側辺に沿って上下方向（または左右方向）のいずれかにしかずらして貼ることができず、より多彩な整理や分類を行うことができなかった。
【先行技術文献】
【特許文献】
【０００７】
【特許文献１】特開２０００−３５５１８０号公報
【発明の概要】
【発明が解決しようとする課題】
【０００８】
そこで、本発明の課題は、貼り付け方法に多様性を持たせたインデックスラベルを提供することにある。
【課題を解決するための手段】
【０００９】
上述した課題を解決するため、本発明は、一方の面が粘着面とされ、折曲部を挟んで対称形状となる一対のタブ部を備える基材シートを、その粘着面同士が互いに向き合うように折り曲げて、上記互いに向き合った粘着面の間に被貼着片の側辺の一部を挟んで固着するインデックスラベルにおいて、上記基材シートは透過性を有し、上記基材シートには、上記基材シートを上記被貼着片に貼着する際、上記被貼着面の側辺と平行な仮想線上に、上記基材シートを上記被貼着片へと位置決めするための指示部が複数設けられていることを特徴としている。
【００１０】
上記仮想線は、上記折曲線と平行に設けられている。上記仮想線は、上記折曲線と直交して設けられている。
【００１１】
より好ましい態様として、上記指示部は、上記仮想線に沿って直線状に形成されている。
【００１２】
また別の態様として、上記指示部は、上記仮想線上に配置される少なくとも２点の点状マークからなることが好ましい。
【００１３】
上記基材シートは正方形であって、上記基材シートの対角線に沿って上記折曲部が設けられている。
【００１４】
上記各タブ部は三角形状に形成され、それらの頂部を挟んで対称となるように連結されており、上記頂部を上記折曲部として折り曲げられる。
【００１５】
より好ましい態様として、上記指示部および上記折曲部は、所定の色に着色されていることを特徴としている。
【００１６】
上記基材シートの他方の面には透過性を有する保護シートが備えられ、上記保護シートには、上記基材シートを上記被貼着片に貼着する際、上記被貼着片の側辺と平行な仮想線上に、上記基材シートを上記被貼着片へと位置決めするための指示部が設けられている。
【発明の効果】
【００１７】
本発明によれば、基材シートに透過性を持たせ、基材シートを被貼着片に対して貼着する際に、その貼着位置を位置合わせするための指示部を設けたことにより、基材シートの貼付方法に多彩なバリエーションが生まれ、より見やすく整理しやすいインデックスラベルを提供できる。
【図面の簡単な説明】
【００１８】
【図１】本発明の第１実施形態に係るインデックスラベルの（ａ）表面図および（ｂ）裏面図。
【図２】上記第１実施形態のインデックスラベルの第１使用形態を説明する説明図。
【図３】上記第１実施形態のインデックスラベルの第２使用形態を説明する説明図。
【図４】上記第１実施形態のインデックスラベルの第３使用形態を説明する説明図。
【図５】上記第１実施形態のインデックスラベルの第４使用形態を説明する説明図。
【図６】上記第１実施形態のインデックスラベルの変形例を示す表面図。
【図７】本発明の第２実施形態に係るインデックスラベルの表面図。
【図８】上記第２実施形態のインデックスラベルの使用形態を説明する説明図。
【図９】本発明の第３実施形態に係るインデックスラベルの表面図。
【図１０】上記第３実施形態のインデックスラベルの使用形態を説明する説明図。
【図１１】上記第３実施形態のインデックスラベルの提供方法の一例を説明する説明図。
【図１２】本発明の第４実施形態に係るインデックスラベルの表面図。
【発明を実施するための形態】
【００１９】
次に、本発明の第１〜第３実施形態について図面を参照しながら説明するが、本発明はこれに限定されるものではない。
【００２０】
図１（ａ）および（ｂ）に示すように、この第１実施形態に係るインデックスラベル１Ａは、矩形状に型抜きされた基材シート２Ａを有し、基材シート２Ａの裏面（図１（ｂ）では正面）には、貼着用の粘着面２１が設けられている。
【００２１】
基材シート２Ａは、透過性を有する合成樹脂フィルムからなり、この例では半透明ポリプロピレン製フィルムが用いられている。この第１実施形態において、基材シート２Ａは、透過性を有する合成樹脂フィルムが用いられているが、適度な透過性を備え、後述する被貼着片（この実施形態ではノートＮ（図２参照））の側辺Ｅに沿って後述する指示線３を位置合わせすることができれば、紙製シートなどその他の材質であってもよい。
【００２２】
粘着面２１は、基材シート２Ａの裏面に沿って一般的な粘着剤を一様に塗布した粘着剤層からなる。粘着剤は、インデックスラベル１ＡをノートＮに貼り付けることが可能であれば、仕様に応じて任意に選択できる。また、何度も剥がして貼ることができる（いわゆる再剥離性）などの各種特性を備えていてもよい。
【００２３】
基材シート２Ａは、ほぼ中央に基材シート２Ａをほぼ半分に折り畳むための折曲線２２が設けられている。この実施形態において、折曲線２２は、基材シート２Ａを貫通する貫通部と未貫通部とが縦方向に沿って交互に連続したミシン目からなり、折曲線２２に沿って折り曲げた際に、その折り曲げ位置を判別しやすくするための着色が施されている。
【００２４】
この折曲線２２を挟んで、基材シート２Ａの右側に右タブ部２３Ｒが、左側に左タブ部２３Ｌが、左右対称となるように配置されている。折曲線２２はミシン目以外に、折り曲げ癖を付けた凹溝であってもよい。
【００２５】
基材シート２Ａの表面（図１（ａ）では正面）には、文字などを表面に直接書き込むことができるようにするための梨地処理が施されているが、基材シート２Ａの表面にペンなどを使って直接書き込むことができれば、仕様に応じて任意に選択されて良い。
【００２６】
基材シート２Ａの表面にはさらに、基材シート２Ａを被貼着片（ノートＮ）に貼り付ける際、ノートＮの側辺（図１では左右の側辺）と平行な仮想線上に、基材シート２Ａを被貼着片へと位置決めするための指示線３（指示部）が設けられている。この第１実施形態において、指示線３は、折曲線２を挟んで左右対称に形成されている。
【００２７】
指示線３は、縦方向（図１では上下方向）に基材シート２Ａを位置合わせするための縦指示線３１と、横方向(図１では左右方向)に基材シート２Ａを位置合わせするための横指示線３２とを有し、それらが格子状に配置されている。
【００２８】
この実施形態において、縦指示線３１は、左タブ部２３Ｌと右タブ部２３Ｒにそれぞれ２箇所（３１ａ，３１ｂ）ずつ設けられており、それらが折曲線２２と左右の辺との間で等間隔に配置されている。
【００２９】
また、横指示線３２も同様に、左タブ部２３Ｌと右タブ部２３Ｒにそれぞれ２箇所（３２ａ，３２ｂ）ずつ設けられており、それらが上下方向の両辺との間で等間隔に配置されている。
【００３０】
この第１実施形態において、縦指示線３１および横指示線３２は、所定の色に着色された実線からなり、基材シート２１に印刷されたプリントパターンである。各指示線３１，３２は、プリント以外に形成されていてもよく、基材シート２Ａの中に模様として判別可能であれば、その他各種方法が用いられてもよい。
【００３１】
次に、図２を参照して、この第１実施形態に係るインデックスラベル１Ａの第１使用形態について説明する。このインデックスラベル１Ａを使用するに当たっては、まず、図示しない台紙からインデックスラベル１Ａを剥がし取り、左タブ部２３Ｌの縦指示線３１ａと、ノートＮの側辺Ｅとが互いに重なり合うように位置合わせして、粘着面２１をノートＮに貼り付ける。
【００３２】
次に、折曲線２２に沿って他方の右タブ部２３Ｒを左タブ部２３Ｌ側に折り畳み、互いの粘着面２１同士を貼り合わせる（図２の中央に配置）。これによれば、ノートＮの側辺Ｅからインデックスラベル１Ａがマス目１つ分飛び出した一般的なラベルが形成される。
【００３３】
また、左タブ部２３Ｌの縦指示線３１ｂと、ノートＮの側辺Ｅとが互いに重なり合うように貼り合わせ、折曲線２２に沿って他方の右タブ部２３Ｒを左タブ部２３Ｌ側に折り畳んで、粘着面２１同士を貼り合わせる（図２の右上に配置）。これによれば、ノートＮの側辺Ｅからインデックスラベル１Ａがマス目２つ分飛び出すように設置することもできる。
【００３４】
さらに別の態様としては、基材シート２Ａの折曲線２２とノートＮの側辺Ｅとが重なり合うように貼り合わせて、右タブ部２３Ｒを左タブ部２３Ｌ側に折り畳んで貼り合わせる（図２の左下に配置）。これによれば、ノートＮの側辺Ｅに折曲線２２の着色帯が配置され、ノートを閉じた状態でノートの側辺に着色帯が現れることで、インデックス位置を判別することができる。
【００３５】
次に、図３を参照して、第１実施形態のインデックスラベル１Ａの第２使用形態について説明する。この第２使用形態においては、複数ページ（Ｎ１〜Ｎ３）を有するノートＮを項目別に整理する態様について説明する。
【００３６】
まず、第１ページＮ１の側辺Ｅ１に１枚目のインデックスラベル１Ａの左タブ部２３Ｌを縦指示線３１ｂを重ね合わせて貼り付ける。次に、折曲線２２に沿って右タブ部２３Ｒを左タブ部２３Ｌ側に折り畳んで、互いの粘着面２１，２１同士を貼着することにより、第１ページＮ１の側辺Ｅ１に１枚目のインデックスラベル１Ａが固定される。
【００３７】
次に、第２ページＮ２のインデックスラベル１Ａの上側辺Ｘを第１ページＮ１のインデックスラベル１Ａの下側辺Ｙに沿って位置合わせし、第２ページＮ２の側辺Ｅ２に左タブ部２３Ｌを縦指示線３１ｂを重ね合わせて貼り付ける。次に、折曲線２２に沿って右タブ部２３Ｒを左タブ部２３Ｌ側に折り畳んで、互いの粘着面２１，２１同士を貼着する。
【００３８】
同様に、第３ページＮ３のインデックスラベル１Ａを、まず、その上側辺Ｘを第２ページＮ２のインデックスラベル１Ａの下側辺Ｙに沿って配置したのち、第３ページＮ３の側辺Ｅ３に左タブ部２３Ｌを縦指示線３１ｂを重ね合わせて貼り付ける。次に、折曲線２２に沿って右タブ部２３Ｒを左タブ部２３Ｌ側に折り畳んで、互いの粘着面２１，２１同士を貼着する。
【００３９】
これによれば、各ページＮ１〜Ｎ３に貼り付けられた各インデックスラベル１Ａが上下方向に沿って、それらが側辺Ｅ１〜Ｅ３からマス目２つ分飛び出すように配置されることにより、見栄え良く綺麗に整理することができる。
【００４０】
次に、図４を参照して、第１実施形態の第３使用形態について説明する。この第３使用形態において、まず、１枚目のインデックスラベル１Ａが、第１ページＮ１の側辺Ｅ１に沿って左タブ部２３Ｌの縦指示線３１ｂが重ね合うように貼着される。次に、折曲線２２に沿って右タブ部２３Ｒを左タブ部２３Ｌ側に折り畳んで、互いの粘着面２１，２１同士を貼着する。
【００４１】
次の第２ページＮ２のインデックスラベル１Ａを、まず、第１ページＮ１に貼着されたインデックスラベル１Ａの横指示線３２ｂに、その上側辺Ｘが重なり合うように位置合わせする。さらに、第１ページＮ１の側辺Ｅ２に沿って左タブ部２３Ｌの縦指示線３１ｂが重なり合うように位置合わせして貼着する。その状態で折曲線２２に沿って右タブ部２３Ｒを左タブ部２３Ｌ側に折り畳んで、互いの粘着面２１，２１同士を貼着する。
【００４２】
同様に、第３ページＮ３のインデックスラベル１Ａを、第２ページＮ２に貼着されたインデックスラベル１Ａの横指示線３２ｂに、その上側辺Ｘが重なり合うように配置し、かつ、第３ページＮ３の側辺Ｅ３に沿って左タブ部２３Ｌの縦指示線３１ｂが重なり合うように貼着する。その状態で折曲線２２を中心に右タブ部２３Ｒが左タブ部２３Ｌの粘着面側に折り畳んで貼着する。
【００４３】
これによれば、各インデックスラベル１Ａ同士の一部が互いに重なり合うように配置されることにより、省スペースで効率的な見出し整理を行うことができる。
【００４４】
次に、図５を参照して、第１実施形態の第４使用形態について説明する。まず、１枚目のインデックスラベル１Ａを、第１ページＮ１の側辺Ｅ１に沿って折曲線２２が重なり合うように貼り付ける。その状態で折曲線２２に沿って右タブ部２３Ｒを左タブ部２３Ｌ側に折り畳んで、互いの粘着面２１，２１同士を貼着する。
【００４５】
次に、２枚目のインデックスラベル１Ａを、その上辺が１枚目（第１ページＮ１）のインデックスラベル１Ａの横指示線３２ａと合致するように上下方向を位置合わせし、さらに縦指示線３１ａと第２ページの側辺Ｅ２とが重なるように左右方向を位置合わせして貼り付ける。次に、折曲線２２に沿って右タブ部２３Ｒを左タブ部２３Ｌ側に折り畳んで、互いの粘着面２１，２１同士を貼着する。
【００４６】
さらに、３枚目のインデックスラベル１Ａを、その上辺が２枚目（第２ページＮ２）のインデックスラベル１Ａの横指示線３２ａに合致するように上下方向を位置合わせする。併せて、縦指示線３１ａと第２ページの側辺Ｅ２とが重なるように左右方向を位置合わせして貼り付ける。しかるのち、折曲線２２に沿って右タブ部２３Ｒを左タブ部２３Ｌ側に折り畳んで、互いの粘着面２１，２１同士を貼着して固定する。
【００４７】
これによれば、第１ページＮ１から第３ページＮ３に移行するにつれてインデックスラベル１Ａを縦方向および横方向に一マスずつずらして貼着することにより、従来にはないバラエティに富んだ見出し整理を行うことができる。
【００４８】
この第１実施形態において、インデックスラベル１Ａは、ベースとなる基材シート２Ａが無着色の半透明素材が用いられ、そこに指示線３が印刷されているが、図６に示すように、基材シート２Ａに透過性を備えた着色シートが用い、指示線３および折曲線２２を未着色部としてもよい。
【００４９】
次に、図７を参照して、本発明の第２実施形態に係るインデックスラベル１Ｂについて説明する。このインデックスラベル１Ｂは、正方形に型抜きされた基材シート２Ｂを有し、基材シート２Ｂの対角線に沿って斜め折曲線２４が設けられている。
【００５０】
基材シート２Ｂは、上記第１実施形態と同じく透過性を有する半透明の樹脂フィルムが用いられている。この第２実施形態において、基材シート２Ｂは、斜め折曲線２４に沿って左右の両タブ部２３Ｒ，２３Ｌを折り畳んだ際、それらが互いに合致するように正方形状に形成されている。
【００５１】
基材シート２Ｂの各タブ部２３Ｒ，２３Ｌには、斜め折曲線２４に沿って平行な斜め指示線３３が設けられている。この第２実施形態において、斜め指示線３３は、所定の間隔で２箇所３３ａ、３３ｂずつ設けられている。この第２実施形態において斜め指示線３３は、斜め折曲線２４に沿って平行であるが、直交するように設けられていても良し、平行線と直交線の組み合わせであってもよい。
【００５２】
この第２実施形態のインデックスラベル１Ｂを使用するに当たっては、図８に示すように、左タブ部２３Ｌの斜め指示線３３（この使用例では指示線３３ａ）をノートＮの第１ページＮ１の側辺Ｅ１に沿って重なるように位置合わせして貼り付け、斜め折曲線２４に沿って右タブ部２３Ｒを左タブ部２３Ｌ側に折り畳んで、互いの粘着面２１，２１同士を貼着する。
【００５３】
同様に、第２ページＮ２の側辺Ｅ２に沿って２枚目のインデックスラベル１Ｂを上下方向に沿ってずらして、左タブ部２３Ｌの斜め指示線３３ａを重なるように位置合わせして貼り付けたのち、斜め折曲線２４に沿って右タブ部２３Ｒを左タブ部２３Ｌ側に折り畳んで、互いの粘着面２１，２１同士を貼着する。
【００５４】
これによれば、各インデックスラベル１ＢがノートＮに対して楔状に貼り付けられることで、タブ部２３が上下に張り出すように貼り付けられ、よりインデックスラベル１Ｂの存在を目立たせることができる。
【００５５】
次に、図９を参照して、本発明の第３実施形態に係るインデックスラベル１Ｃについて説明する。このインデックスラベル１Ｃは、上記第１および第２実施形態と同様の透過性を有する合成樹脂シート材からなる基材シート２Ｃを有し、基材シート２Ｃは、同一の三角形状に形成された２つのタブ部２３Ｌ，２３Ｒをそれぞれの頂部２５で連結したリボン型に形成されている。
【００５６】
各タブ部２３Ｌ，２３Ｒは、頂部２５を挟んで左右対称に配置されている。各タブ部２３Ｌ，２３Ｒにはそれぞれ、等間隔で複数本の指示線３４（３４ａ〜３４ｃ）が設けられている。この第３実施形態において、指示線３４（３４ａ〜３４ｃ）は、上下方向に沿って等間隔で３本ずつ設けられている。なお、指示線３４は、さらに横方向に沿って設けられていても良い。
【００５７】
このインデックスラベル１Ｃの各タブ部２３Ｌ，２３Ｒは、頂部２５を折曲部として、その粘着面２１，２１同士が互いに向き合う方向に折り畳まれる。次に、図１０を参照して、この第３実施形態に係るインデックスラベル１Ｃの使用形態の一例について説明する。
【００５８】
このインデックスラベル１Ｃを使用するに当たっては、まず、インデックスラベル１Ｃの左タブ部２３Ｌの指示線３４（この例では指示線３４ｃ）をページＮの側辺Ｅに合わせて貼り付ける。
【００５９】
次に、他方の右タブ部２３Ｒを頂部２５を中心に折り返し、各々の粘着面２１，２１同士を互いに向き合うように貼り付ける。同様の貼着方法で各ページＮ１〜Ｎ３の側辺Ｅ１〜Ｅ３に沿ってインデックスラベル１Ｃを貼り付ける。
【００６０】
これによれば、図１０に示すように、各インデックスラベル１Ｃが、側辺Ｅ１〜Ｅ３から三角形状に張り出すように貼り付けられる。また、側辺Ｅ１〜Ｅ３に沿ってそれぞれ指示線３４ａ〜３４ｃを適宜選択して貼り付けることにより、好みの大きさに張り出させることができる。
【００６１】
また、第３実施形態のインデックスラベル１Ｃは、特にノートＮの貼着面積がラベルの張り出し部分の面積よりも大きくすることができるため、より安定した貼着状態を維持することができる。
【００６２】
なお、この第３実施形態におけるインデックスラベル１Ｃは、リボン状に形成されているため、図１１に示すように、図示しない台紙に千鳥状に配置することで、基材シートを最小限で型抜きすることができる。
【００６３】
上記第１実施形態〜第３実施形態に係るインデックスラベル１Ａ〜１Ｃの各指示線３１〜３４はそれぞれ線状に形成されているが、これ以外の態様であってもよい。
【００６４】
すなわち、図１２に示すように、第４実施形態に係るインデックスラベル１Ｄは、指示線に代えて折曲線２２に沿って平行な第１仮想線Ｌ１の上を通るように配置された第１点状マーク３５と、第１仮想線Ｌ１に対して直交する第２仮想線Ｌ２の上を通るように配置された第２点状マーク３６とを備えている。
【００６５】
第１点状マーク３５は、第１仮想線Ｌ１の上を通るように、基材シート２Ｄの上端と下端とに配置された２点の第１点状マーク３５ａ，３５ａ（３５ｂ，３５ｂ）からなる。この実施形態において、第１点状マーク３５は、等間隔で配置された２つの第１仮想線Ｌ１に沿ってそれぞれ合致するように２箇所の第１点状マーク３５ａ，３５ａ（３５ｂ，３５ｂ）が設けられている。
【００６６】
第２点状マーク３６は、第２仮想線Ｌ２の上を通るように、基材シート２Ｄの左端と右端とに配置された２点の第１点状マーク３６ａ，３６ａ（３６ｂ，３６ｂ）からなり、この実施形態において、２つの第１仮想線Ｌ１に沿ってそれぞれ２箇所の第２点状マーク３６ａ，３６ａ（３６ｂ，３６ｂ）が設けられている。
【００６７】
これによれば、各点状マーク３５，３６の２点の上にノートＮの側辺が重なるように位置合わせして貼り付けることにより、インデックスラベル１Ｄを正確に綺麗に貼り付けることができる。
【００６８】
上記第１実施形態〜第３実施形態に係るインデックスラベル１Ａ〜１Ｃは、基材シート２Ａ〜２Ｃの表面に直接ペンなどで文字を書き込むようにしているが、従来のように基材シート２Ａ〜２Ｃの表面に保護シールを貼り付ける態様も本発明に含まれて良い。
【００６９】
以上説明したように、本発明のインデックスラベル１Ａ〜１Ｃによれば、基材シート２の一部に指示線を設けたことにより、ノートＮの側辺Ｅに対する貼着位置を綺麗かつ規則的に配置することができ、より多彩で効率的な項目分けを行うことができる。
【符号の説明】
【００７０】
１Ａ〜１Ｄ  インデックスラベル
２Ａ〜２Ｄ  基材シート
２１  粘着面
２２，２４  折曲線
２３Ｌ  左タブ部
２３Ｒ  右タブ部
２５  頂部
３  指示線
３１〜３４  指示線
３５  第１点状マーク
３６  第２点状マーク
【図１】
2015150743.tif 000003
【図２】
2015150743.tif 000004
【図３】
2015150743.tif 000005
【図４】
2015150743.tif 000006
【図５】
2015150743.tif 000007
【図６】
2015150743.tif 000008
【図７】
2015150743.tif 000009
【図８】
2015150743.tif 000010
【図９】
2015150743.tif 000011
【図１０】
2015150743.tif 000012
【図１１】
2015150743.tif 000013
【図１２】
2015150743.tif 000014